(57)【要約】【課題】部品点数が少なくなることで製造作業の効率化が図られ得ることに加え、本体ゴム弾性体の耐久性が十分に確保されることに基づき所期の防振効果が安定して得られる、新規な構造の流体封入式筒型防振装置を提供する。【解決手段】インナ軸部材１２とアウタ筒部材１４に対して軸直角方向に及ぼされる主荷重の入力方向に対してインナ軸部材１２の中心を通る受圧室５２の周方向中心線が周方向に傾斜して装着される状態で、受圧室５２内でインナ軸部材１２からアウタ筒部材１４に突出する第一ストッパ５８が、インナ軸部材１２の中心を通る主荷重の入力方向線に対して受圧室５２の周方向中心線の傾斜方向に偏倚して且つ該主荷重の入力方向線に対して平行に設けられている一方、貫通空所４０内でインナ軸部材１２からアウタ筒部材１４に突出する第二ストッパ６０が、かかる主荷重の入力方向線上に設けられている。【選択図】図１
2008045641.tif 000002
【特許請求の範囲】
【請求項１】
インナ軸部材の外周側に離隔してアウタ筒部材が配設されており、該インナ軸部材を挟んだ軸直角方向一方の側でそれらインナ軸部材とアウタ筒部材が本体ゴム弾性体で連結されていると共に、該インナ軸部材を挟んだ軸直角方向他方の側にはそれらインナ軸部材とアウタ筒部材の間を軸方向に貫通する貫通空所が形成されている一方、該本体ゴム弾性体の内部に受圧室が形成されていると共に、該貫通空所には可撓性膜で壁部が構成された平衡室が形成されており、それら受圧室と平衡室に非圧縮性流体が封入され且つオリフィス通路で相互に連通されている流体封入式筒型防振装置において、
前記インナ軸部材と前記アウタ筒部材に対して軸直角方向に及ぼされる主荷重の入力方向に対して、該インナ軸部材の中心を通る前記受圧室の周方向中心線が周方向に傾斜して装着されるようになっており、かかる装着状態下において、該受圧室内で該インナ軸部材から該アウタ筒部材に向かって突出する第一ストッパが、該インナ軸部材の中心を通る主荷重の入力方向線に対して該受圧室の周方向中心線の傾斜方向に偏倚して且つ該インナ軸部材の中心を通る主荷重の入力方向線に対して平行に突設されている一方、前記貫通空所内で該インナ軸部材から該アウタ筒部材に向かって突出する第二ストッパが、該インナ軸部材の中心を通る主荷重の入力方向線上に突設されていることを特徴とする流体封入式筒型防振装置。
【請求項２】
前記貫通空所には、前記インナ軸部材の中心軸回りの周方向において、該インナ軸部材の中心を通る主荷重の入力方向線に対する該受圧室の周方向中心線の傾斜方向と同じ側に位置して前記平衡室が形成されることにより、前記第二ストッパの周方向一方の側に該平衡室が位置せしめられている請求項１に記載の流体封入式筒型防振装置。
【請求項３】
前記インナ軸部材の外周側に離隔して中間スリーブが配設されて前記本体ゴム弾性体の外周面に該中間スリーブが固着されており、該本体ゴム弾性体に第一ポケット部が形成されていると共に該中間スリーブに第一窓部が形成されて、該第一窓部を通じて該第一ポケット部が外周面に開口していると共に、該中間スリーブに前記アウタ筒部材が外嵌固定されて該第一窓部が覆蓋されることによって前記受圧室が形成されている請求項１又は２に記載の流体封入式筒型防振装置。
【請求項４】
前記中間スリーブには、前記貫通空所の形成部位において第二窓部が形成されていると共に、該貫通空所において袋状ゴム弾性体が配設されており、該袋状ゴム弾性体の開口周縁部が該中間スリーブの該第二窓部の開口縁部に固着されることによって該袋状ゴム弾性体が該第二窓部を通じて外周面に開口していると共に、該中間スリーブに前記アウタ筒部材が外嵌固定されて該第二窓部が覆蓋されることによって前記平衡室が形成されている請求項３に記載の流体封入式筒型防振装置。
【発明の詳細な説明】
【技術分野】
【０００１】
本発明は、内部に封入された非圧縮性流体の流動作用等に基づいて防振効果を得るようにした流体封入式の筒型防振装置に係り、例えば、自動車用のエンジンマウントやサブフレームマウント、ボデーマウント、デフマウント、サスペンションブッシュ等に適用される流体封入式筒型防振装置に関するものである。
【背景技術】
【０００２】
従来から、振動伝達系を構成する部材間に介装される防振連結体乃至は防振支持体の一種として、流体封入式の筒型防振装置が知られている。この流体封入式筒型防振装置は、インナ軸金具とその外周側に離隔配置されたアウタ筒金具の軸直角方向対向面間に本体ゴム弾性体を配設しそれらを本体ゴム弾性体で弾性連結した構造とされている。また、内部には、振動入力される受圧室と容積変化が許容される平衡室が設けられており、受圧室と平衡室に非圧縮性流体が封入されていると共に、両室がオリフィス通路を通じて相互に連通せしめられている。特に、受圧室がインナ軸金具の中心軸回りの周方向に広がって、その周方向両側の壁部が本体ゴム弾性体で構成されていることにより、ゴム弾性体からなる周方向両壁部の弾性変形に基づき受圧室に圧力変動が生ぜしめられることとなる。このような筒型防振装置においては、振動入力時に、受圧室と平衡室に相対的な圧力変動が惹起されてオリフィス通路を通じて流動せしめられる流体の共振作用等の流動作用によって防振効果が得られることから、例えば自動車用のエンジンマウントやサスペンションブッシュ等への適用が検討されている。
【０００３】
ところで、かかる筒型防振装置を自動車用エンジンマウント等として採用する場合に、問題となる振動の一つがインナ軸金具とアウタ筒金具の軸直角方向対向面間で鉛直方向に対して周方向に傾斜して入力されることがある。そのため、当該振動に対する受圧室の周方向両壁部のばね特性を高度に発現させて防振効果を効果的に得ようと、インナ軸金具とアウタ筒金具の軸直角方向対向面間において受圧室の周方向両壁部が延びる方向を該振動入力方向に向けて装着されることがある。その結果、受圧室の周方向中心線が鉛直方向に対して周方向に傾斜した状態で装着されることとなる。
【０００４】
また、上述の如き傾斜配置型の自動車用エンジンマウント等に採用される筒型防振装置において、問題となる振動の一つにバウンド／リバウンド方向（鉛直方向）の振動があり、かかる振動に対して高い減衰性能を得るためには、鉛直方向に延びるストッパ部材をインナ軸金具とアウタ筒金具の間に設けることが有効とされる。
【０００５】
ところが、このように受圧室の周方向中心線が鉛直方向に対して周方向に傾斜して装着される防振装置にあって、鉛直方向に延びるストッパ部材がインナ軸金具からアウタ筒金具に向かって突設されると、受圧室の周方向の両壁部の何れか一方にストッパ部材の基端部が偏って設けられて、かかる壁部の弾性変形がストッパ部材で拘束されるおそれがあった。それに起因して、本体ゴム弾性体に過大な応力が発生して、耐久性能が十分に確保され難い問題を内在していた。
【０００６】
なお、上述の問題に対処するために、例えば特許文献１（特開平１０−３８０１２号公報）や特許文献２（特開平１０−２５２８１２号公報）にも示されているように、ストッパ部材をアウタ筒金具の側からインナ軸金具に向かって突設させることが考えられる。そうすれば、本体ゴム弾性体の弾性変形がストッパ部材で拘束されることがないから、耐久性が有利に確保されるものと考えられる。
【０００７】
しかしながら、当該構造の防振装置では、ストッパ部材が本体ゴム弾性体が固着されたインナ軸部材側に一体的に設けられていないことで、部品点数が多くなり、そのため、組み付け工程が増えて製造が煩雑になる問題があった。
【０００８】
【特許文献１】特開平１０−３８０１２号公報
【特許文献２】特開平１０−２５２８１２号公報
【発明の開示】
【発明が解決しようとする課題】
【０００９】
ここにおいて、本発明は、上述の如き事情を背景として為されたものであって、その解決課題とするところは、部品点数が少なくなることで製造作業の効率化が図られ得ることに加え、本体ゴム弾性体の耐久性が十分に確保されることに基づき所期の防振効果が安定して得られる、新規な構造の流体封入式筒型防振装置を提供することにある。
【課題を解決するための手段】
【００１０】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面に記載されたもの、或いはそれらの記載から当業者が把握することの出来る発明思想に基づいて認識されるものであることが理解されるべきである。
【００１１】
すなわち、本発明の特徴とするところは、インナ軸部材の外周側に離隔してアウタ筒部材が配設されており、インナ軸部材を挟んだ軸直角方向一方の側でそれらインナ軸部材とアウタ筒部材が本体ゴム弾性体で連結されていると共に、インナ軸部材を挟んだ軸直角方向他方の側にはそれらインナ軸部材とアウタ筒部材の間を軸方向に貫通する貫通空所が形成されている一方、本体ゴム弾性体の内部に受圧室が形成されていると共に、貫通空所には可撓性膜で壁部が構成された平衡室が形成されており、それら受圧室と平衡室に非圧縮性流体が封入され且つオリフィス通路で相互に連通されている流体封入式筒型防振装置において、インナ軸部材とアウタ筒部材に対して軸直角方向に及ぼされる主荷重の入力方向に対して、インナ軸部材の中心を通る受圧室の周方向中心線が周方向に傾斜して装着されるようになっており、かかる装着状態下において、受圧室内でインナ軸部材からアウタ筒部材に向かって突出する第一ストッパが、インナ軸部材の中心を通る主荷重の入力方向線に対して受圧室の周方向中心線の傾斜方向に偏倚して且つインナ軸部材の中心を通る主荷重の入力方向線に対して平行に突設されている一方、貫通空所内でインナ軸部材からアウタ筒部材に向かって突出する第二ストッパが、インナ軸部材の中心を通る主荷重の入力方向線上に突設されていることにある。
【００１２】
このような本発明に従う構造とされた流体封入式筒型防振装置においては、主荷重の入力のストッパ機構を構成する第一ストッパおよび第二ストッパが、何れもインナ軸部材の側に突設されていることによって、インナ軸部材の外周側にアウタ筒部材が配設されるだけで、それら両部材の軸直角方向の間に設けられることとなる。従って、ストッパがインナ軸部材とアウタ筒部材の間に後付けされることに起因する部品点数の増加や製造工程の延長が抑えられることから、製造効率が有利に向上され得るのである。
【００１３】
特に、インナ軸部材の中心を通る受圧室の周方向中心線が主荷重の入力方向に対して周方向に傾斜して装着されるようになっており、それによって、主荷重の入力に対する減衰性能に加えて、受圧室の周方向両側において本体ゴム弾性体が広がる、主荷重と異なる方向の入力に対する減衰性能も有利に発揮され得る。
【００１４】
そこにおいて、かかる装着状態下で、受圧室内に突出する第一ストッパが、インナ軸部材の中心を通る主荷重の入力方向線に対して受圧室の周方向中心線の傾斜方向に偏倚して設けられることとなる。これにより、インナ軸部材に突設される第一ストッパの基端部が、受圧室の周方向の略中心線上に位置せしめられることとなり、受圧室の周方向両側の壁部を構成する本体ゴム弾性体を避けるように設けられる。その結果、第一ストッパによる本体ゴム弾性体の拘束が抑えられて、本体ゴム弾性体に局所的に過大な応力が生ぜしめられることが軽減乃至は回避されることから、耐久性能が十分に確保され得るのである。
【００１５】
しかも、第一ストッパの基端部が受圧室の周方向の略中心線上に位置せしめられていると共に、第一ストッパがインナ軸部材の中心を通る主荷重の入力方向線に対して平行に突設されていることによって、受圧室における第一ストッパを挟んだ周方向両側の各容積が略同じとされる。即ち、受圧室の第一ストッパを挟んだ周方向一方の容積と他方の容積が大きく異なることを原因として、受圧室に意図しない狭窄部分が形成されることがない。それ故、狭窄部分によって受圧室の流体の流動作用に不具合が生じることが回避され、該流体の流動作用に基づく防振効果が安定して得られるのである。
【００１６】
また、本発明に係る流体封入式筒型防振装置では、貫通空所には、インナ軸部材の中心軸回りの周方向において、インナ軸部材の中心を通る主荷重の入力方向線に対する受圧室の周方向中心線の傾斜方向と同じ側に位置して平衡室が形成されることにより、第二ストッパの周方向一方の側に平衡室が位置せしめられている構造が、好適に採用される。
【００１７】
このような構造によれば、平衡室の第二ストッパへの干渉を回避しつつ、貫通空所における平衡室の形成スペースを有効に確保し、平衡室の容積を大きく設定することが可能になる。特に、平衡室が貫通空所の第二ストッパの周方向一方の側にだけ形成されることで、両側に形成される場合に比して、平衡室の構造が簡略化される。
【００１８】
すなわち、本構造では、受圧室の周方向中心線が主荷重の入力方向に対して周方向に傾斜していることから、受圧室と軸直角方向で対向する貫通空所の周方向中心線も主荷重の入力方向に対して傾斜することとなり、その結果、該入力方向に延びる第二ストッパの突出方向が貫通空所の周方向中心線に対して周方向に傾斜して、第二ストッパの突出方向と反対側に大きなスペースが生じる。この大きなスペースを利用して、平衡室が一つの簡単な構造で且つ大きな容積をもって設定され得るのである。
【００１９】
また、本発明に係る流体封入式筒型防振装置では、インナ軸部材の外周側に離隔して中間スリーブが配設されて本体ゴム弾性体の外周面に中間スリーブが固着されており、本体ゴム弾性体に第一ポケット部が形成されていると共に中間スリーブに第一窓部が形成されて、第一窓部を通じて第一ポケット部が外周面に開口していると共に、中間スリーブにアウタ筒部材が外嵌固定されて第一窓部が覆蓋されることによって受圧室が形成されている構造が、好適に採用される。
【００２０】
本構造によれば、非圧縮性流体を封入した受圧室が容易に形成される。また、例えば中間スリーブとアウタ筒部材の嵌着面間にシールゴムを介装することにより、受圧室の流体密性が有利に確保される。
【００２１】
また、本発明に係る流体封入式筒型防振装置では、中間スリーブには、貫通空所の形成部位において第二窓部が形成されていると共に、貫通空所において袋状ゴム弾性体が配設されており、袋状ゴム弾性体の開口周縁部が中間スリーブの第二窓部の開口縁部に固着されることによって袋状ゴム弾性体が第二窓部を通じて外周面に開口していると共に、中間スリーブにアウタ筒部材が外嵌固定されて第二窓部が覆蓋されることによって平衡室が形成されている構造が、好適に採用される。
【００２２】
このような構造によれば、非圧縮性流体を封入した平衡室が容易に形成される。また、例えば中間スリーブとアウタ筒部材の嵌着面間にシールゴムを介装することにより、平衡室の流体密性が有利に確保される。なお、好ましくは、本体ゴム弾性体と袋状ゴム弾性体が一体形成されることによって、製造が一層容易になる。
【発明を実施するための最良の形態】
【００２３】
以下、本発明を更に具体的に明らかにするために、本発明の実施形態について説明する。先ず、図１〜２には、本発明の流体封入式筒型防振装置に係る一実施形態としての自動車用エンジンマウント１０が示されている。このエンジンマウント１０は、インナ軸部材としての内筒金具１２とアウタ筒部材としての外筒金具１４が、互いに径方向に所定距離を隔てて位置せしめられていると共に、それらの間に介装された本体ゴム弾性体１６で相互に弾性連結された構造とされている。エンジンマウント１０は、内筒金具１２が図示しない防振連結される一方の部材としてのパワーユニット側の取付部材に固定されると共に、外筒金具１４が図示しない防振連結される他方の部材としてのボデー側の取付部材に固定されることによって、パワーユニットをボデーに対して防振支持せしめるようになっている。
【００２４】
より詳細には、内筒金具１２は、小径の円筒形状を有している。この内筒金具１２の内孔にボルトやロッド等が挿通されて、パワーユニット側の取付部材に固定されるようになっている。また、内筒金具１２には、ストッパ部材１８が組み付けられている。
【００２５】
ストッパ部材１８は、略円筒形状を呈しており、硬質の合成樹脂材や金属材等を用いて形成されている。そして、ストッパ部材１８がインサート成形されることによって、内筒金具１２の外周面に固着されている。これにより、ストッパ部材１８が、内筒金具１２の外周面から径方向（軸直角方向）外方に突出している。ストッパ部材１８の軸方向長さが内筒金具１２の軸方向長さよりも小さくされていることで、ストッパ部材１８の軸方向両側から内筒金具１２の軸方向両端部がそれぞれ突出せしめられている。なお、ストッパ部材１８は、内筒金具１２と別体成形した後、内筒金具１２に外嵌固定しても良い。かかるストッパ部材１８のより詳細な構造は、ストッパ機構の説明として後述する。
【００２６】
また、内筒金具１２の径方向外方には、大径の円筒形状を有する金属スリーブ２０が配設されており、ストッパ部材１８を備えた内筒金具１２の周りを所定距離を隔てて位置せしめられている。内筒金具１２と金属スリーブ２０は、マウント１０に支持荷重が及ぼされていない状態で、略同心円状に位置せしめられている。金属スリーブ２０の軸方向中央部分には、軸直角方向（径方向）に矩形状に開口する第一窓部２２と第二窓部２４が、周方向に所定距離を隔てて貫通, 形成されている。特に本実施形態では、周方向長さに関して、第一窓部２２が金属スリーブ２０の略１／３〜１／２とされていると共に、第二窓部２４が金属スリーブ２０の略１／６〜１／４とされており、第一窓部２２が第二窓部２４よりも周方向に大きく延びている。
【００２７】
金属スリーブ２０における第一窓部２２と第二窓部２４の周方向間には、第一連結板部２６と第二連結板部２８が設けられている。これら連結板部２６，２８は、径方向外方に向かって凹状に開口する断面で周方向に所定の長さで延びており、特に、第一連結板部２６の周方向長さが第一窓部２２の周方向長さと略同じとされていると共に、第二連結板部２８の周方向長さが第二窓部２４の周方向長さと略同じとされている。即ち、第一連結板部２６が第二連結板部２８よりも周方向に大きな形状とされている。
【００２８】
換言すると、金属スリーブ２０では、互いに軸方向に所定距離を隔てて同一軸上に配された大径の円筒形状を有する一対のリング部３０，３０が、それらの軸方向対向面間に跨って延びる第一連結板部２６と第二連結板部２８によって一体的に連結された構造を呈しており、リング部３０，３０の軸方向対向面間の開口が第一及び第二連結板部２６，２８で仕切られることによって、リング部３０，３０の軸方向対向面間における第一及び第二連結板部２６，２８の一対の周方向間に、それぞれ第一窓部２２と第二窓部２４が形成されているのである。
【００２９】
これら内筒金具１２と金属スリーブ２０の間には、本体ゴム弾性体１６が配設されている。本体ゴム弾性体１６は、厚肉の略円筒形状を有しており、外周面が金属スリーブ２０の内周面、即ち一対のリング部３０，３０の内周面や第一及び第二連結板部２６，２８の内周面に加硫接着されていると共に、内周面が内筒金具１２の外周面およびストッパ部材１８の外周面に加硫接着されている。その結果、内筒金具１２と金属スリーブ２０が本体ゴム弾性体１６で弾性連結されて、図３〜５にも示されているように、本体ゴム弾性体１６が内筒金具１２やストッパ部材１８、金属スリーブ２０を備えた一体加硫成形品３２として形成されている。
【００３０】
金属スリーブ２０の略全体の外周面、即ち一対のリング部３０，３０の外周面や第一及び第二連結板部２６，２８の外周面には、本体ゴム弾性体１６と一体形成されたシールゴム層３４が略全体に亘って被着されており、シールゴム層３４の外径寸法が、全体に亘って略同じに揃えられている。特に、リング部３０に被着されたシールゴム層３４の外周面には、周方向に連続して延びるシールリップ３６の複数条が突設されている。
【００３１】
また、本体ゴム弾性体１６の内筒金具１２を挟んだ径方向一方（図１，２中、下）には、第一ポケット部３８が形成されている。第一ポケット部３８は、本体ゴム弾性体１６の周方向に所定の長さ（本実施形態では略１／３〜１／２）で延びていると共に、径方向外方に向かって矩形状に開口しており、この開口部分が金属スリーブ２０の第一窓部２２を通じて外周面に開口している。また、第一ポケット部３８の底部（周方向両側の壁部）が、内筒金具１２の外周面付近に至る深さ寸法で、開口方向に略直交する方向に略平坦に広がっている。
【００３２】
さらに、本体ゴム弾性体１６における内筒金具１２を挟んだ径方向他方（図１，２中、上）の側には、貫通空所としてのスリット４０が形成されている。スリット４０は、本体ゴム弾性体１６を軸方向に貫通して周方向に所定の長さ（本実施形態では略半周）で延びており、軸方向視が略円弧形状を呈している。
【００３３】
すなわち、本体ゴム弾性体１６の一体加硫成形品３２では、内筒金具１２を挟んだ径方向一方に第一ポケット部３８が設けられていると共に径方向他方にスリット４０が設けられていることによって、第一ポケット部３８とスリット４０の間に、本体ゴム弾性体１６からなる第一の弾性連結部４２と第二の弾性連結部４４が設けられている。換言すれば、内筒金具１２と金属スリーブ２０は、第一の弾性連結部４２と第二の弾性連結部４４によって実質的に弾性連結されているのである。これら一対の弾性連結部４２，４４は、内筒金具１２に固着されたストッパ部材１８から金属スリーブ２０に向かって厚さ寸法が小さくなる板状を呈しており、内筒金具１２を挟んで略対称な形状とされている。
【００３４】
ここで、内筒金具１２の中心を通り図１中の上下方向に延びる軸直角方向線を第一の軸直角方向線：ｌ1 とすると共に、内筒金具１２の中心を通り図１中の左右方向に延びて第一の軸直角方向線：ｌ1 と直交する軸直角方向線を第二の軸直角方向線：ｌ2 とする。
【００３５】
第一の弾性連結部４２は、内筒金具１２と金属スリーブ２０の間の内筒金具１２を挟んだ径方向一方（図１中、左）の側に配されており、内周面の略中央が第二の軸直角方向線：ｌ2 上に位置せしめられた形態でストッパ部材１８の外周面に加硫接着されていると共に、外周面が金属スリーブ２０における第一連結板部２６の周方向一方（図１中、左）の端部付近の内周面に加硫接着されている。これにより、第一の弾性連結部４２が、第二の軸直角方向線：ｌ2 と略平行に延びている。
【００３６】
第二の弾性連結部４４は、内筒金具１２と金属スリーブ２０の間の内筒金具１２を挟んだ径方向他方（図１中、右）の側に配されており、内周面の中央が第二の軸直角方向線：ｌ2 に対して第一ポケット部３８側の周方向に偏倚して位置せしめられた形態で、ストッパ部材１８の外周面に加硫接着されていると共に、外周面が金属スリーブ２０における第二連結板部２８の周方向一方（図１中、左）の端部付近の内周面に加硫接着されている。これにより、第二の弾性連結部４４において内筒金具１２の中心を通る周方向中心線：ｌ3 が、第二の軸直角方向線：ｌ2 に対して第一ポケット部３８側の周方向に所定の角度：θ１で傾斜している。
【００３７】
従って、第一の弾性連結部４２と第二の弾性連結部４４における内筒金具１２の中心を通って対向する方向が、第二の軸直角方向線：ｌ2 に対して周方向に傾斜している。そして、第一ポケット部３８の周方向両壁部が、互いに略同じ形状や大きさとされた第一の弾性連結部４２と第二の弾性連結部４４における各幅方向一方（図１中、下）の壁部を含んで構成されていることにより、内筒金具１２の中心を通る第一ポケット部３８の周方向中心線：ｌ4 が、第二の弾性連結部４４が第二の軸直角方向線：ｌ2 に対して傾斜する周方向と同様に、第一の軸直角方向線：ｌ1 に対して周方向に所定の角度：θ２で傾斜している。その結果、第一の弾性連結部４２と第二の弾性連結部４４を含んでなる本体ゴム弾性体１６において、その軸直角方向の一つの弾性主軸が、第一ポケット部３８の周方向中心線：ｌ4 の略線上に位置せしめられて、第一の軸直角方向線：ｌ1 に対して所定の角度で傾斜しているのである。
【００３８】
第二の弾性連結部４４の第二の軸直角方向線：ｌ2 に対する傾斜角度：θ１や、第一ポケット部３８の周方向中心線：ｌ4 の第一の軸直角方向線：ｌ1 に対する傾斜角度：θ２は、後述する自動車への装着状態で、要求される振動入力の方向の減衰特性に応じて設定されるものであって、特に限定されるものでなく、例えば本実施形態では、θ１＝１０〜４５°とされると共に、θ２＝１０〜４５°とされる。
【００３９】
また、内筒金具１２を挟んで第一ポケット部３８と径方向に対向せしめられるスリット４０の周方向両壁部が、第一の弾性連結部４２と第二の弾性連結部４４における各幅方向他方（図１中、上）の壁部を含んで構成されていることで、内筒金具１２の中心を通るスリット４０の周方向中心線が、第一ポケット部３８の周方向中心線：ｌ4 と同一線上に位置せしめられている。その結果、第一ポケット部３８とスリット４０の軸直角方向での対向方向が、第一の軸直角方向線：ｌ1 に対して相対的に傾斜している。
【００４０】
また、金属スリーブ２０の第二窓部２４の縁部には、本体ゴム弾性体１６と一体形成されて、変形容易な薄肉の袋状ゴム弾性体からなる、可撓性膜としてのダイヤフラム４６が固着されている。ダイヤフラム４６は、第二窓部２４から本体ゴム弾性体１６の一体加硫成形品３２におけるスリット４０の形成部側に膨出して配置されている。ダイヤフラム４６を挟んでスリット４０と反対側に、金属スリーブ２０の第二窓部２４を通じて外周面に開口する第二ポケット部４８が設けられている。
【００４１】
特に本実施形態では、第二ポケット部４８が、スリット４０における内筒金具１２の中心軸回りの周方向において、第一の軸直角方向線：ｌ1 に対するスリット４０（第一ポケット部３８）の周方向中心線（ｌ4 ）の傾斜方向と同じ側に位置して設けられていることによって、スリット４０の周方向一方（図１中、右）の側に偏倚して位置せしめられている。要するに、第二ポケット部４８は、スリット４０の周方向一方の壁部を構成する第二の弾性連結部４４側に設けられているのである。
【００４２】
また、シールゴム層３４における第一連結板部２６に被着された部分の中央には、凹溝５０が形成されている。凹溝５０は外周面に凹状に開口する断面で周方向に連続して延びており、周方向一方の端部が第一ポケット部３８に接続されていると共に、周方向他方の端部が第二ポケット部４８に接続されている。
【００４３】
このような本体ゴム弾性体１６の一体加硫成形品３２に対して大径の円筒形状を有する外筒金具１４が外挿されて、外筒金具１４に八方絞り等の縮径加工が施されている。これにより、外筒金具１４が、シールゴム層３４を介して金属スリーブ２０に外嵌固定され、内筒金具１２の径方向外方において略同心円状に位置せしめられている。特に、シールゴム層３４のシールリップ３６が外筒金具１４と金属スリーブ２０の各リング部３０の間に圧縮変形して介装されていることに基づき、外筒金具１４が一対のリング部３０，３０に流体密に固着されていると共に、第一ポケット部３８の開口部分と第二ポケット部４８の開口部分が、外筒金具１４により流体密に覆蓋されている。
【００４４】
第一ポケット部３８と外筒金具１４で構成された密閉内部には、壁部の一部が本体ゴム弾性体１６で構成されて、本体ゴム弾性体１６の弾性変形に基づいて圧力変動が生ぜしめられる受圧室５２が形成されている。第二ポケット部４８と外筒金具１４で構成された密閉内部には、壁部の一部がダイヤフラム４６で構成されて、ダイヤフラム４６の弾性変形によって容積変化が容易に許容される平衡室５４が形成されている。受圧室５２や平衡室５４には、それぞれ、非圧縮性流体が封入されている。要するに、本体ゴム弾性体１６の内部に非圧縮性流体が充填された受圧室５２が形成されていると共に、スリット４０内に非圧縮性流体が充填された平衡室５４が形成されている。かかる非圧縮性流体としては、水やアルキレングリコール，ポリアルキレングリコール，シリコーン油等が採用されるが、後述する流体の共振作用等の流動作用に基づく防振効果を有利に得るために、粘度が０．１Ｐａ・ｓ以下の低粘性流体が好適に採用される。なお、受圧室５２や平衡室５４への非圧縮性流体の封入は、例えば非圧縮性流体中で、本体ゴム弾性体１６の一体加硫成形品３２に外筒金具１４が組み付けられることによって、有利に実現される。また、上述の説明からも明らかなように、内筒金具１２の中心を通る受圧室５２の周方向中心線が、第一ポケット部３８の周方向中心線：ｌ4 と同じとされていることにより、第一の軸直角方向線：ｌ1 に対して周方向に所定の角度：θ２で傾斜している。また、平衡室５４が、スリット４０における内筒金具１２の中心軸回りの周方向において、第一の軸直角方向線：ｌ1 に対する受圧室５２の周方向中心線：ｌ4 の傾斜方向と同じ側に位置して形成されていることも、明らかである。
【００４５】
さらに、金属スリーブ２０の外周面に形成された凹溝５０の開口がシールゴム層３４を挟んで外筒金具１４により流体密に覆蓋されていることに基づいて、金属スリーブ２０と外筒金具１４の間には、周方向に所定の長さでトンネル状に延びるオリフィス通路５６が形成されている。オリフィス通路５６の一方の端部が、受圧室５２に接続されていると共に、オリフィス通路５６の他方の端部が、平衡室５４に接続されている。それによって、受圧室５２と平衡室５４がオリフィス通路５６を通じて相互に連通せしめられており、振動入力時の両室５２，５４の相対的な圧力変動に基づいて、オリフィス通路５６を通じての流体の流動量が確保されて、該流体の共振作用等の流動作用に基づいて防振効果が発揮されるようになっている。
【００４６】
本実施形態では、振動入力時に受圧室５２と平衡室５４の間に生ぜしめられる相対的な圧力変動に基づいて、オリフィス通路５６を通じて流動せしめられる流体の共振周波数が、例えば１０Ｈｚ前後の低周波大振幅のエンジンシェイクや１５〜３０Ｈｚ程度の高周波小振幅のアイドリング振動等の防振すべき振動に対して流体の共振作用等に基づく防振効果（高減衰特性）が有利に発揮されるようにチューニングされている。オリフィス通路５６のチューニングは、例えば、受圧室５２や平衡室５４の各壁ばね剛性（単位容積だけ変化させるのに必要な圧力変化量に対応する特性値）等を考慮しつつ、オリフィス通路５６の通路長さと通路断面積を調節することによって行うことが可能であり、一般に、オリフィス通路５６を通じて伝達される圧力変動の位相が変化して略共振状態となる周波数を、当該オリフィス通路５６のチューニング周波数として把握することが出来る。
【００４７】
また、ストッパ部材１８には、第一ストッパとしてのバウンドストッパ５８と第二ストッパとしてのリバウンドストッパ６０が一体的に設けられている。バウンドストッパ５８やリバウンドストッパ６０は、略一定の矩形断面で内筒金具１２と平行に延びるブロック状を呈しており、バウンドストッパ５８が受圧室５２内で内筒金具１２に固着されたストッパ部材１８から外筒金具１４に向かって所定の高さで突出していると共に、リバウンドストッパ６０がスリット４０内で内筒金具１２に固着されたストッパ部材１８から外筒金具１４に向かって所定の高さで突出している。
【００４８】
バウンドストッパ５８やリバウンドストッパ６０の各突出先端面は、外筒金具１４の内周面と軸直角方向に所定距離を隔てて対向位置せしめられていると共に、外筒金具１４の対向せしめられた各部位の内周面の形状に対応した曲面とされている。また、バウンドストッパ５８やリバウンドストッパ６０における突出先端面を含む外周面には、本体ゴム弾性体１６と一体形成された薄肉の緩衝ゴム層６２が略全体に亘って被着されている。
【００４９】
特に本実施形態では、リバウンドストッパ６０の軸方向両端部分が軸方向中央部分よりも径方向外方に突出しており、換言すればリバウンドストッパ６０の軸方向中央部分の径寸法が軸方向両端部分の径寸法に比して小さくされていることで、軸方向断面が径方向外方に開口する凹状とされている。かかる凹状の部分に本体ゴム弾性体１６と一体形成されたゴム弾性体が充填されていることによって、小径の軸方向中央部分に被着された緩衝ゴム層６２の厚さ寸法（ゴムボリューム）が、大径の軸方向両端部に被着された緩衝ゴム層６２の厚さ寸法に比して、実質的に大きくされている。そして、リバウンドストッパ６０の軸方向中央部分が、かかる厚肉の緩衝ゴム層６２を介して金属スリーブ２０の第一連結板部２６と対向位置せしめられていると共に、リバウンドストッパ６０の軸方向の各端部が、薄肉の緩衝ゴム層６２を介して金属スリーブ２０の各リング部３０と対向位置せしめられている。
【００５０】
そこにおいて、受圧室５２内で内筒金具１２から外筒金具１４に向かって突出するバウンドストッパ５８の中心を通る突出方向線：ｌ5 が、第一の軸直角方向線：ｌ1 から第一の弾性連結部４２側に位置する受圧室５２の周方向中心線：ｌ4 に向かって、該第一の軸直角方向線：ｌ1 と所定の距離だけ離隔して位置せしめられていることにより、バウンドストッパ５８が、第一の軸直角方向線：ｌ1 に対して受圧室５２の周方向中心線：ｌ4 の傾斜方向に偏倚して突設されている。
【００５１】
これに伴い、バウンドストッパ５８の内筒金具１２から突出する基端部分が、本体ゴム弾性体１６において略対称形状の第一の弾性連結部４２と第二の弾性連結部４４における対向方向の略中央に位置せしめられて、本体ゴム弾性体１６の軸直角方向の弾性主軸上に位置せしめられている。
【００５２】
また、バウンドストッパ５８の中心を通る突出方向線：ｌ5 が第一の軸直角方向線：ｌ1 と平行に延びていることによって、バウンドストッパ５８が、第一の軸直角方向線：ｌ1 に対して平行に延びている。
【００５３】
一方、スリット４０内で内筒金具１２から外筒金具１４に向かって突出するリバウンドストッパ６０の中心を通る突出方向線が、第一の軸直角方向線：ｌ1 上に位置せしめられている。これにより、リバウンドストッパ６０が、第一の軸直角方向線：ｌ1 上に突設されていると共に、第一の軸直角方向線：ｌ1 に対して平行に延びるバウンドストッパ５８と平行に延びている。
【００５４】
特に本実施形態では、スリット４０における内筒金具１２の中心軸回りの周方向において、第一の軸直角方向線：ｌ1 に対する受圧室５２の周方向中心線：ｌ4 の傾斜方向と同じ側に位置して平衡室５４が形成されていることにより、リバウンドストッパ６０の周方向一方（図１中、右）の側に平衡室５４が位置せしめられている。
【００５５】
上述の如き構造とされた自動車用エンジンマウント１０においては、内筒金具１２がその内孔に挿通されるボルトやロッド等を介してパワーユニット側の取付部材に固定されると共に、外筒金具１４が図示しない円形の孔を備えた取付ブラケットに圧入されて取付ブラケットが車両ボデーに固定されることにより、パワーユニットとボデーの間に介装されて、パワーユニットをボデーに対して防振支持せしめるようになっている。
【００５６】
かかるエンジンマウント１０に及ぼされる主たる荷重は、自動車の段差乗り越え等に際して、略鉛直方向に入力されるバウンド／リバウンド荷重とされている。そして、自動車への装着にあっては、マウント１０における第一の軸直角方向線：ｌ1 が主荷重の入力方向線とされるため、第一の軸直角方向線：ｌ1 が略鉛直方向に延びると共に、第二の軸直角方向線：ｌ2 が略水平方向に延びることとなる。従って、内筒金具１２と外筒金具１４に対して軸直角方向に及ぼされるバウンド／リバウンド方向の主荷重の入力方向に対して、バウンドストッパ５８およびリバウンドストッパ６０が平行に延びると共に、内筒金具１２の中心を通る受圧室５２の周方向中心線：ｌ4 が周方向に所定の角度：θ２だけ傾斜して装着されるようになっている。また、第二の軸直角方向線：ｌ2 が略水平方向に延びることに基づき、水平方向に対して、本体ゴム弾性体１６の第一の弾性連結部４２が略平行に延びると共に、本体ゴム弾性体１６の第二の弾性連結部４４が周方向に所定の角度：θ１だけ傾斜して装着されるようになっている。
【００５７】
このような装着状態下では、内筒金具１２と外筒金具１４の間にバウンド方向の過大な荷重が入力されると、内筒金具１２と外筒金具１４が、相対変位して、緩衝ゴム層６２が被着されたバウンドストッパ５８を介して互いに当接するようになっている。その結果、内外筒金具１２，１４におけるバウンド方向の相対的な変位量が、バウンドストッパ５８や緩衝ゴム層６２を含んでなるバウンドストッパ機構によって緩衝的に且つ確実に制限される。
【００５８】
また、内筒金具１２と外筒金具１４の間にリバウンド方向の過大な荷重が入力された際に、内筒金具１２と外筒金具１４が、相対変位して、緩衝ゴム層６２が被着されたリバウンドストッパ６０と金属スリーブ２０を介して互いに当接するようになっている。その結果、内外筒金具１２，１４におけるリバウンド方向の相対的な変位量が、リバウンドストッパ６０や緩衝ゴム層６２、金属スリーブ２０を含んでなるリバウンドストッパ機構によって緩衝的に且つ確実に制限される。
【００５９】
さらに、本実施形態では、第一の弾性連結部４２と第二の弾性連結部４４の軸直角方向における対向方向が、水平方向に対して傾斜していることから、特に、バウンド／リバウンド荷重（主荷重）の入力方向に傾斜する方向に問題となる振動が入力される場合に、第一及び第二の弾性連結部４２，４４を含んでなる本体ゴム弾性体１６の弾性変形に基づいて、優れた減衰性能が得られるのである。
【００６０】
ここで、バウンドストッパ５８とリバウンドストッパ６０が一体形成されたストッパ部材１８が内筒金具１２にインサート成形されて、本体ゴム弾性体１６の一体加硫成形品３２に設けられていることから、部品点数が有利に削減されて、製造効率が効果的に向上され得る。
【００６１】
また、特にバウンドストッパ５８が、内筒金具１２の中心を通るバウンド荷重の入力方向線（ｌ1 ）に対して受圧室５２の周方向中心線（ｌ4 ）の傾斜方向に偏倚して設けられているため、バウンドストッパ５８の突出基端部を挟んだ受圧室５２の周方向両側の壁部を構成する第一の弾性連結部４２と第二の弾性連結部４４の各自由長が互いに略同じとされている。その結果、バウンド荷重の入力時に、第一及び第二の弾性連結部４２，４４を含んでなる本体ゴム弾性体１６に局所的に過大な応力が生ぜしめられることが軽減乃至は回避されて、本体ゴム弾性体１６延いてはエンジンマウント１０の耐久性能が十分に確保され得るのである。
【００６２】
さらに、バウンドストッパ５８の基端部が受圧室５２の周方向中心線の略線上に位置せしめられていると共に、バウンドストッパ５８の突出方向が主荷重の入力方向線に対して平行に延びていることによって、受圧室５２におけるバウンドストッパ５８を挟んだ周方向両側の各容積が略同じとされている。従って、受圧室５２に狭窄部分が設けられることによる流体の流動作用の不具合が解消されることから、流体の流動作用に基づく防振性能が安定して得られる。
【００６３】
更にまた、本実施形態では、スリット４０における内筒金具１２の中心軸回りの周方向において、内筒金具１２の中心を通る主荷重の入力方向線（ｌ1 ）に対する受圧室５２の周方向中心線（ｌ4 ）の傾斜方向と同じ側に位置して平衡室５４が形成されていることで、リバウンドストッパ６０の周方向一方の側に平衡室５４が位置せしめられている。即ち、軸直角方向において受圧室５２と対向せしめられるスリット４０の周方向中心線（ｌ4 ）が主荷重の入力方向線に対して傾斜していることにより、該入力方向線に延びるリバウンドストッパ６０が、スリット４０内では、スリット４０の周方向中心線に傾斜して延びている。その結果、スリット４０におけるリバウンドストッパ６０の突出方向と反対側に形成される大きなスペースを利用して、平衡室５４が大きな容積をもって構成されることに加えて、平衡室５４のリバウンドストッパ６０への干渉が回避されて、安定したストッパ性能が得られるのである。
【００６４】
以上、本発明の実施形態について詳述してきたが、これはあくまでも例示であり、かかる実施形態における具体的な記載によって、本発明は、何等限定されるものでなく、当業者の知識に基づいて種々なる変更、修正、改良等を加えた態様で実施可能である。また、そのような実施態様が、本発明の趣旨を逸脱しない限り、何れも、本発明の範囲内に含まれるものであることは、言うまでもない。
【００６５】
例えば、前記実施形態に係るバウンドストッパ５８やリバウンドストッパ６０における形状や大きさ、構造等は、要求されるストッパ性能に応じて設定変更されることから、例示の如きものに限定されない。
【００６６】
また、前記実施形態において、バウンドストッパ５８やリバウンドストッパ６０の突出先端面に被着される緩衝ゴム層６２が、本体ゴム弾性体１６と一体形成されていたが、勿論別体で形成されることも可能である。
【００６７】
さらに、前記実施形態では、自動車への装着状態下で、主荷重の入力方向が、バウンド／リバウンド荷重が入力される鉛直方向とされていたが、鉛直方向に対して傾斜する方向であっても良い。
【００６８】
更にまた、前記実施形態においては、金属スリーブ２０の外周面に形成された凹溝５０が外筒金具１４で覆蓋されることより、オリフィス通路５６が形成されていたが、例えば特開平２−２６３３７号公報等にも示されているように、本体ゴム弾性体の一体加硫成形品と別体構造のオリフィス部材に凹溝等を設けて、オリフィス通路を構成しても良い。
【００６９】
加えて、前記実施形態では、本発明を自動車用のエンジンマウントに適用したものの具体例について示したが、本発明は、その他、自動車用のボデーマウントやサスペンションブッシュ等、或いは自動車以外に用いられる各種の防振装置に対しても適用可能であることは勿論である。
【図面の簡単な説明】
【００７０】
【図１】本発明の一実施形態としての自動車用エンジンマウントを示す横断面図であって、図２のＩ−Ｉ断面に相当する図。
【図２】同自動車用エンジンマウントの縦断面図。
【図３】同自動車用エンジンマウントの一部を構成する本体ゴム弾性体の一体加硫成形品の一側面図。
【図４】同本体ゴム弾性体の一体加硫成形品の図３と異なる一側面図。
【図５】同本体ゴム弾性体の一体加硫成形品の底面図。
【符号の説明】
【００７１】
１０：自動車用エンジンマウント、１２：内筒金具、１４：外筒金具、１６：本体ゴム弾性体、４０：スリット、４６：ダイヤフラム、５２：受圧室、５４：平衡室５６：オリフィス通路、５８：バウンドストッパ、６０：リバウンドストッパ
【図１】
2008045641.tif 000003
【図２】
2008045641.tif 000004
【図３】
2008045641.tif 000005
【図４】
2008045641.tif 000006
【図５】
2008045641.tif 000007